【手続補正書】
【提出日】平成25年2月19日(2013.2.19)
【手続補正１】
【補正対象書類名】明細書
【補正対象項目名】発明の名称
【補正方法】変更
【補正の内容】
【発明の名称】画像形成装置、情報処理装置、印刷システム、画像形成方法、及び画像形成プログラム  
【手続補正２】
【補正対象書類名】明細書
【補正対象項目名】０００１
【補正方法】変更
【補正の内容】
【０００１】
本発明は、画像データに応じた印刷を行う際、当該画像データに係る画像処理を行う画像形成装置、情報処理装置、印刷システム、画像形成方法、及び画像形成プログラムに関し、特に、情報処理装置を外部装置として利用して画像処理を行う画像形成装置、印刷システム、画像形成方法、及び画像形成プログラムに関する。
【手続補正３】
【補正対象書類名】明細書
【補正対象項目名】００１４
【補正方法】変更
【補正の内容】
【００１４】
従って、本発明の目的は、１ページ単位で画像を形成する際にもデータ転送量を少なくして、しかも良好に画像形成を行うことのできる画像形成装置、情報処理装置、印刷システム、画像形成方法、及び画像形成プログラムを提供することにある。
【手続補正４】
【補正対象書類名】明細書
【補正対象項目名】００１５
【補正方法】変更
【補正の内容】
【００１５】
上記の目的を達成するため、本発明による画像形成装置は、複数の画像処理機能を有し、前記画像処理機能を用いて画像形成を行う画像形成装置であって、複数の画像処理機能を有する情報処理装置に接続可能な画像形成装置において、前記画像形成装置が有する複数の画像処理機能のうちの少なくとも１つを選択する第１の選択手段と、前記情報処理装置が有する複数の画像処理機能のうちの少なくとも１つを選択する第２の選択手段と、前記第１の選択手段で選択された画像処理機能と前記第２の選択手段で選択された画像処理機能とを示す情報を前記情報処理装置に送る送信手段と、前記送信手段によって送信された情報及び予め規定された条件に応じて前記情報処理装置で判定された判定結果として、前記情報処理装置で代替する画像処理機能を示す情報を受けた際、当該画像処理機能を前記画像形成装置で用いないように制御する制御手段と、を有することを特徴とする。
【手続補正５】
【補正対象書類名】明細書
【補正対象項目名】００１６
【補正方法】変更
【補正の内容】
【００１６】
本発明による情報処理装置は、複数の画像処理機能を備えた情報処理装置において、複数の画像処理機能を有し、前記画像処理機能を用いて画像形成を行う画像形成装置と接続する接続手段と、前記画像形成装置から、前記画像形成装置が有する複数の画像処理機能の中から選択された画像処理機能と、前記情報処理装置が有する複数の画像処理機能の中から選択された画像処理機能とを示す情報を受信する受信手段と、前記受信手段で受信された情報及び予め規定された条件に応じて、前記画像形成装置に代わって代替すべき画像処理機能があるか否かを判定する判定手段と、前記判定手段による判定結果を、前記画像形成装置に送る送信手段と、を有することを特徴とする。
【手続補正６】
【補正対象書類名】明細書
【補正対象項目名】００１８
【補正方法】変更
【補正の内容】
【００１８】
本発明による画像形成方法は、複数の画像処理機能を有する画像形成装置で、前記画像処理機能を用いて画像形成を行う画像形成方法において、前記画像形成装置は、複数の画像処理機能を有する情報処理装置に接続されており、前記画像形成装置が有する複数の画像処理機能のうちの少なくとも１つを選択する第１の選択ステップと、前記情報処理装置が有する複数の画像処理機能のうちの少なくとも１つを選択する第２の選択ステップと、前記第１の選択ステップで選択された画像処理機能と前記第２の選択ステップで選択された画像処理機能とを示す情報を前記情報処理装置に送る送信ステップと、前記送信ステップによって送信された情報及び予め規定された条件に応じて前記情報処理装置で判定された判定結果として、前記情報処理装置で代替する画像処理機能を示す情報を受けた際、当該画像処理機能を前記画像形成装置で用いないように制御する制御ステップと、を有することを特徴とする。
【手続補正７】
【補正対象書類名】明細書
【補正対象項目名】００１９
【補正方法】変更
【補正の内容】
【００１９】
本発明による画像形成プログラムは、複数の画像処理機能を有する画像形成装置に画像形成を実行させる際に用いられ、前記画像処理機能を用いて画像形成を行うための画像形成プログラムにおいて、前記画像形成装置は、複数の画像処理機能を有する情報処理装置に接続されており、前記画像形成装置が備えるコンピュータに、前記画像形成装置が有する複数の画像処理機能のうちの少なくとも１つを選択する第１の選択ステップと、前記情報処理装置が有する複数の画像処理機能のうちのなくとも１つを選択する第２の選択ステップと、前記第１の選択ステップで選択された画像処理機能と前記第２の選択ステップで選択された画像処理機能とを示す情報を前記情報処理装置に送る送信ステップと、前記送信ステップによって送信された情報及び予め規定された条件に応じて前記情報処理装置で判定された判定結果として、前記情報処理装置で代替する画像処理機能を示す情報を受けた際、当該画像処理機能を前記画像形成装置で用いないように制御する制御ステップと、を実行させることを特徴とする。
【手続補正８】
【補正対象書類名】明細書
【補正対象項目名】００２０
【補正方法】削除
【補正の内容】
【手続補正９】
【補正対象書類名】特許請求の範囲
【補正対象項目名】全文
【補正方法】変更
【補正の内容】
【特許請求の範囲】
【請求項１】
複数の画像処理機能を有し、前記画像処理機能を用いて画像形成を行う画像形成装置であって、複数の画像処理機能を有する情報処理装置に接続可能な画像形成装置において、
前記画像形成装置が有する複数の画像処理機能のうちの少なくとも１つを選択する第１の選択手段と、
前記情報処理装置が有する複数の画像処理機能のうちの少なくとも１つを選択する第２の選択手段と、
前記第１の選択手段で選択された画像処理機能と前記第２の選択手段で選択された画像処理機能とを示す情報を前記情報処理装置に送る送信手段と、
前記送信手段によって送信された情報及び予め規定された条件に応じて前記情報処理装置で判定された判定結果として、前記情報処理装置で代替する画像処理機能を示す情報を受けた際、当該画像処理機能を前記画像形成装置で用いないように制御する制御手段と、
を有することを特徴とする画像形成装置。
【請求項２】
前記情報処理装置において画像処理された処理済み画像データを受けた際、当該処理済み画像データに従って印刷を行う印刷手段を有することを特徴とする請求項１記載の画像形成装置。
【請求項３】
前記第１の選択手段は、前記画像形成装置が有する画像処理機能の中から選択するための第１の選択画面を表示し、
前記第２の選択手段は前記情報処理装置が有する画像処理機能の中から選択するための第２の選択画面を表示することを特徴とする請求項１又は２記載の画像形成装置。
【請求項４】
前記ネットワークはインターネットであり、前記第２の選択手段は、前記情報処理装置からＷｅｂページを受けて、該Ｗｅｂページを前記第２の選択画面として表示することを特徴とする請求項３記載の画像形成装置。
【請求項５】
前記第１の選択画面において、予め規定された操作が行われた際、前記第１の選択手段は前記第２の選択手段に処理を渡して、前記第２の選択手段が前記第２の選択画面を表示することを特徴とする請求項３又は４記載の画像形成装置。
【請求項６】
複数の画像処理機能を備えた情報処理装置において、
複数の画像処理機能を有し、前記画像処理機能を用いて画像形成を行う画像形成装置と接続する接続手段と、
前記画像形成装置から、前記画像形成装置が有する複数の画像処理機能の中から選択された画像処理機能と、前記情報処理装置が有する複数の画像処理機能の中から選択された画像処理機能とを示す情報を受信する受信手段と、
前記受信手段で受信された情報及び予め規定された条件に応じて、前記画像形成装置に代わって代替すべき画像処理機能があるか否かを判定する判定手段と、
前記判定手段による判定結果を、前記画像形成装置に送る送信手段と、
を有することを特徴とする情報処理装置。
【請求項７】
請求項１〜５のいずれか１項に記載の画像形成装置と、請求項６に記載の情報処理装置とを有することを特徴とする印刷システム。
【請求項８】
複数の画像処理機能を有する画像形成装置で、前記画像処理機能を用いて画像形成を行う画像形成方法において、
前記画像形成装置は、複数の画像処理機能を有する情報処理装置に接続されており、
前記画像形成装置が有する複数の画像処理機能のうちの少なくとも１つを選択する第１の選択ステップと、
前記情報処理装置が有する複数の画像処理機能のうちの少なくとも１つを選択する第２の選択ステップと、
前記第１の選択ステップで選択された画像処理機能と前記第２の選択ステップで選択された画像処理機能とを示す情報を前記情報処理装置に送る送信ステップと、
前記送信ステップによって送信された情報及び予め規定された条件に応じて前記情報処理装置で判定された判定結果として、前記情報処理装置で代替する画像処理機能を示す情報を受けた際、当該画像処理機能を前記画像形成装置で用いないように制御する制御ステップと、を有することを特徴とする画像形成方法。
【請求項９】
複数の画像処理機能を有する画像形成装置に画像形成を実行させる際に用いられ、前記画像処理機能を用いて画像形成を行うための画像形成プログラムにおいて、
前記画像形成装置は、複数の画像処理機能を有する情報処理装置に接続されており、
前記画像形成装置が備えるコンピュータに、
前記画像形成装置が有する複数の画像処理機能のうちの少なくとも１つを選択する第１の選択ステップと、
前記情報処理装置が有する複数の画像処理機能のうちのなくとも１つを選択する第２の選択ステップと、
前記第１の選択ステップで選択された画像処理機能と前記第２の選択ステップで選択された画像処理機能とを示す情報を前記情報処理装置に送る送信ステップと、
前記送信ステップによって送信された情報及び予め規定された条件に応じて前記情報処理装置で判定された判定結果として、前記情報処理装置で代替する画像処理機能を示す情報を受けた際、当該画像処理機能を前記画像形成装置で用いないように制御する制御ステップと、を実行させることを特徴とする画像形成プログラム。